(57)【特許請求の範囲】
【請求項１】
立体物を異なる視角の方向からみたときの複数の視角画像情報を発生する多視角画像情報発生手段よりの複数の視角画像情報を供給されたときに、該視角画像情報毎の視角画像を所定のパターンで表示する画像表示手段と、
該画像表示手段上に表示された画像からの光に指向性を与えて、上記視角画像情報に対応する視角画像をその視角の方向に向かわせて視角画像を放射状に分配する視角画像放射分配手段とよりなる構成を備え、
前記視角画像放射分配手段は、視角画像を放射状に分配する方向が、立体画像表示装置に対向して見たときに、左右方向及び上下方向である構成としたことを特徴とする立体画像表示装置。
【請求項２】
平面的な画像表示装置本体と、
立体物を異なる視角の方向からみたときの複数の視角画像情報を発生する多視角画像情報発生手段とよりなり、
上記画像表示装置本体は、
該多視角画像情報発生手段よりの複数の視角画像情報を供給されて、該視角画像情報毎の視角画像を所定のパターンで表示する画像表示手段と、
該画像表示手段上に表示された画像からの光に指向性を与えて、上記視角画像情報に対応する視角画像をその視角の方向に向かわせて視角画像を放射状に分配する視角画像放射分配手段とを備え、
前記視角画像放射分配手段は、透明であって柱形状を有する透明柱が、複数集合して、扇状とされたものであることを特徴とする立体画像表示装置。
【請求項３】
請求項２の透明柱は、略円錐形状を有し、その隣合う出射面の間を透明な樹脂で埋めて固定して複数集合してなる構成としたことを特徴とする立体画像表示装置。
【請求項４】
請求項２の透明柱は、出射面側が正多角形であり、多数の透明柱が出射面側が密着して組み合わされた構成としたことを特徴とする立体画像表示装置。
【請求項５】
請求項１又は請求項２記載の視角画像放射分配手段は、球面状の出射面を有する構成としたことを特徴とする立体画像表示装置。
【請求項６】
前記視角画像放射分配手段は、透明であって柱形状を有する透明柱が、複数集合して、扇状とされたものである構成であり、
前記画像表示装置本体は、該画像表示手段上の各視角画像を、上記視角画像放射分配手段を構成する透明柱の集合体のうち対応する透明柱に入力させる視角画像対応入力手段を更に有する構成としたことを特徴とする請求項１又は請求項２記載の立体画像表示装置。
【請求項７】
請求項６記載の視角画像対応入力手段は、上記画像表示手段と視角画像放射分配手段との間に、該視角画像放射分配手段を構成する透明柱毎に設けた光ガイド部材の集合体である構成としたことを特徴とする立体画像表示装置。
【請求項８】
上記画像表示手段が液晶パネルであり、上記視角画像対応入力手段が、該液晶パネルの下側に設けた前方向への指向性を有する指向性光源である構成であることを特徴とする請求項７記載の立体画像表示装置。
【請求項９】
前記画像表示手段は、それぞれ視角画像集合表示領域部を構成する複数の矩形の液晶パネルからなり、
前記視角画像放射分配手段は、該液晶パネル上に固定してあり、該液晶パネル上に表示された画像からの光に指向性を与えて、前記視角画像情報に対応する視角画像をその視角の方向に向かわせて視角画像を放射状に分配する複数の視角画像放射分配部からなるものであって、
前記液晶パネル及び前記視角画像放射分配部の組からなる複数の画像表示ブロックをマトリクス状に並べてなる構成としたことを特徴とする請求項１又は請求項２記載の立体画像表示装置。
【請求項１０】
透明柱と、該透明柱の入射面に１つの発光素子を接着してなる透明柱・発光素子組立体を放射状に並べた構成を有し、並んだ発光素子が請求項１又は請求項２記載の画像表示手段を構成し、並んだ透明柱が請求項１又は請求項２記載の視角画像放射分配手段を構成する構成としたことを特徴とする請求項１又は請求項２記載の立体画像表示装置。
【請求項１１】
透明柱と、該透明柱の入射面に１つの非発光素子を接着してなる透明柱・非発光素子組立体を放射状に並べた構成を有し、並んだ非発光素子が請求項１又は請求項２記載の画像表示手段を構成し、並んだ透明柱が請求項１又は請求項２記載の視角画像放射分配手段を構成する構成としたことを特徴とする請求項１又は請求項２記載の立体画像表示装置。
【請求項１２】
透明柱と、該透明柱の出射面に１つの非発光素子を接着してなる透明柱・非発光素子組立体を放射状に並べた構成を有し、並んだ非発光素子が請求項１又は請求項２記載の画像表示手段を構成し、並んだ透明柱が請求項１又は請求項２記載の視角画像放射分配手段を構成する構成としたことを特徴とする請求項１又は請求項２記載の立体画像表示装置。
【請求項１３】
請求項２記載の多視角画像情報発生手段は、三次元画像情報を生成する三次元画像情報生成部と、該三次元画像情報生成部で生成された三次元画像情報の一部を切り出して処理し、所定の視角の方向より見たときの二次元画像情報を生成する複数の視角画像情報生成部とよりなり、該複数の視角画像情報生成部が同時に動作して上記三次元画像情報を並列に処理する構成としたことを特徴とする立体画像表示装置。
【請求項１４】
画像情報発生手段よりの画像情報を供給されて、画像を平面上に表示する液晶パネルと、
該液晶パネルの前側に設けてあり、該液晶パネル上に表示された画像からの光に指向性を与えて、該液晶パネル上に表示された画像を放射状に分配する画像放射分配手段とを有し、
該画像放射分配手段は、透明であって柱形状を有する透明柱が、複数集合して、扇状とされたものである構成としたことを特徴とする液晶表示装置。
【発明の詳細な説明】
【０００１】
【発明の属する技術分野】
本発明は立体画像表示装置に係り、特に、コンピュータグラフィック技術に好適な立体画像表示装置に関する。
近年のコンピュータグラフィック技術の発達に伴って、表示装置についても、質の高い立体画像の表示が可能であることが求められている。
【０００２】
【従来の技術】
図２０は、従来の１例の立体画像表示装置１０を示す。この立体画像表示装置１０は、人が特殊眼鏡１１をかけるものである。特殊眼鏡１１は、右目用液晶シャッタ１２と、左目用液晶シャッタ１３と、液晶シャッタ駆動装置１４とを有する構成である。二次元画像表示装置１５が、右目用画像情報１６と左目用画像情報１７とを交互に表示し、これに連動して特殊眼鏡１１の右目用液晶シャッタ１２と左目用液晶シャッタ１３とが交互に開くことによって、人は二次元画像表示装置１５の画面上に立体画像を見ることが出来る。
【０００３】
図２１（Ａ），（Ｂ）は、従来の別の例の立体画像表示装置２０を示す。この立体画像表示装置２０は、画像表示装置２１を使用する。画像表示装置２１は、表示面２２上に縦に長いシリンドリカルレンズが横に並んだレンチキュラーレンズ２３を配置してなる構成である。表示面２２には、右目用画像２４と左目用画像２５とが縦のストライプ状をなす画像２６が表示される。図２１（Ｂ）に示すように、画像２６の光はレンチキュラーレンズ２３を通って屈折して出て、右目用画像２４が画像表示装置２１を見る人の右目２７に入り、左目用画像２５が画像表示装置２１を見る人の左目２８に入り、人は立体画像を見ることが出来る。
【０００４】
【発明が解決しようとする課題】
しかるに、従来の立体画像表示装置１０及び立体画像表示装置２０は、画像表示装置１５、２１をどの位置から見る人も同じ立体しか見えず、人が画像表示装置１５、２１の前側を横に移動しても人が見る立体に変化はない。よって、画像表示装置１５、２１の向こう側に現物の立体物が存在するのと同じような実際的な立体画像を表示することは出来なかった。
【０００５】
そこで、本発明は上記課題を解決した立体画像表示装置を提供することを目的とする。
【０００６】
【課題を解決するための手段】
請求項１の発明は、立体物を異なる視角の方向からみたときの複数の視角画像情報を発生する多視角画像情報発生手段よりの複数の視角画像情報を供給されたときに、該視角画像情報毎の視角画像を所定のパターンで表示する画像表示手段と、
該画像表示手段上に表示された画像からの光に指向性を与えて、上記視角画像情報に対応する視角画像をその視角の方向に向かわせて視角画像を放射状に分配する視角画像放射分配手段とよりなる構成を備え、
前記視角画像放射分配手段は、視角画像を放射状に分配する方向が、立体画像表示装置に対向して見たときに、左右方向及び上下方向である構成としたものである。
【０００７】
請求項２の発明は、平面的な画像表示装置本体と、
立体物を異なる視角の方向からみたときの複数の視角画像情報を発生する多視角画像情報発生手段とよりなり、
上記画像表示装置本体は、
該多視角画像情報発生手段よりの複数の視角画像情報を供給されて、該視角画像情報毎の視角画像を所定のパターンで表示する画像表示手段と、
該画像表示手段上に表示された画像からの光に指向性を与えて、上記視角画像情報に対応する視角画像をその視角の方向に向かわせて視角画像を放射状に分配する視角画像放射分配手段とを備え、
前記視角画像放射分配手段は、透明であって柱形状を有する透明柱が、複数集合して、扇状とされたものである構成としたものである。
【０００９】
請求項３の発明は、請求項２の透明柱は、略円錐形状を有し、その隣合う出射面の間を透明な樹脂で埋めて固定して複数集合してなる構成としたものである。
請求項４の発明は、請求項２の透明柱は、出射面側が正多角形であり、多数の透明柱が出射面側が密着して組み合わされた構成としたものである。
【００１０】
請求項５の発明は、請求項１又は請求項２記載の視角画像放射分配手段は、球面状の出射面を有する構成としたものである。
請求項６の発明は、請求項１又は請求項２記載の立体画像表示装置において、前記視角画像放射分配手段は、透明であって柱形状を有する透明柱が、複数集合して、扇状とされたものである構成であり、
前記画像表示装置本体は、該画像表示手段上の各視角画像を、上記視角画像放射分配手段を構成する透明柱の集合体のうち対応する透明柱に入力させる視角画像対応入力手段を更に有する構成としたものである。
【００１１】
請求項７の発明は、請求項６記載の視角画像対応入力手段は、上記画像表示手段と視角画像放射分配手段との間に、該視角画像放射分配手段を構成する透明柱毎に設けた光ガイド部材の集合体である構成としたものである。
請求項８の発明は、請求項７記載の画像表示手段が液晶パネルであり、上記視角画像対応入力手段が、該液晶パネルの下側に設けた前方向への指向性を有する指向性光源である構成としたものである。
【００１２】
請求項９の発明は、請求項１又は請求項２記載の立体画像表示装置において、前記画像表示手段は、それぞれ視角画像集合表示領域部を構成する複数の矩形の液晶パネルからなり、
前記視角画像放射分配手段は、該液晶パネル上に固定してあり、該液晶パネル上に表示された画像からの光に指向性を与えて、前記視角画像情報に対応する視角画像をその視角の方向に向かわせて視角画像を放射状に分配する複数の視角画像放射分配部からなるものであって、
前記液晶パネル及び前記視角画像放射分配部の組からなる複数の画像表示ブロックをマトリクス状に並べてなる構成としたものである。
【００１３】
請求項１０の発明は、透明柱と、該透明柱の入射面に１つの発光素子を接着してなる透明柱・発光素子組立体を放射状に並べた構成を有し、並んだ発光素子が請求項１又は請求項２記載の画像表示手段を構成し、並んだ透明柱が請求項１又は請求項２記載の視角画像放射分配手段を構成する構成としたものである。
【００１４】
請求項１１の発明は、透明柱と、該透明柱の入射面に１つの非発光素子を接着してなる透明柱・非発光素子組立体を放射状に並べた構成を有し、並んだ非発光素子が請求項１又は請求項２記載の画像表示手段を構成し、並んだ透明柱が請求項１又は請求項２記載の視角画像放射分配手段を構成する構成としたものである。
【００１５】
請求項１２の発明は、透明柱と、該透明柱の出射面に１つの非発光素子を接着してなる透明柱・非発光素子組立体を放射状に並べた構成を有し、並んだ非発光素子が請求項１又は請求項２記載の画像表示手段を構成し、並んだ透明柱が請求項１又は請求項２記載の視角画像放射分配手段を構成する構成としたものである。
【００１６】
請求項１３の発明は、請求項２記載の多視角画像情報発生手段は、三次元画像情報を生成する三次元画像情報生成部と、該三次元画像情報生成部で生成された三次元画像情報の一部を切り出して処理し、所定の視角の方向より見たときの二次元画像情報を生成する複数の視角画像情報生成部とよりなり、該複数の視角画像情報生成部が同時に動作して上記三次元画像情報を並列に処理する構成としたものである。
【００１８】
請求項１４の発明は、画像情報発生手段よりの画像情報を供給されて、画像を平面上に表示する液晶パネルと、
該液晶パネルの前側に設けてあり、該液晶パネル上に表示された画像からの光に指向性を与えて、該液晶パネル上に表示された画像を放射状に分配する画像放射分配手段とを有し、
該画像放射分配手段は、透明であって柱形状を有する透明柱が、複数集合して、扇状とされたものである構成としたものである。
【００１９】
【発明の実施の形態】
以下の順序で説明する。
本発明の基本的な原理、
本発明のより具体的な原理、
本発明の第１実施例になる立体画像表示装置、
画像表示装置本体の変形例、
本発明の第２実施例になる立体画像表示装置、
本発明の第３実施例になる液晶表示装置、
本発明の第４実施例になる液晶表示装置。
〔本発明の基本的な原理〕
説明の便宜上、先ず本発明の原理について説明する。
【００２０】
図１（Ａ），（Ｂ）は本発明の基本的な原理を説明する。図１（Ａ）に示すように、観察者３０と物体３１との間に架空の窓３２を想定する。架空の窓３２の一点３３に注目してみる。物体３１から出て、点３３を通過する光線３４を考えてみる。物体３１の１つの点３５からは、光が符号３６で示すように、多くの方向に向かって放射される。物体３１の他の点３７，３８，３９からも同様に、多くの方向に向かって放射される。物体３１の点３５から多くの方向に向かう光線群３６のうち点３３を通過する光線は、符号４０で示す１つの光線に限定される。物体３１の他の点３７から出て点３３を通過する光線は、符号４１で示す１つの光線に限定される。物体３１の他の点３８から出て点３３を通過する光線は、符号４２で示す１つの光線に限定される。物体３１の他の点３９から出て点３３を通過する光線は、点３９から多くの方向に向かう光線群４４のうち、符号４３で示す１つの光線に限定される。
【００２１】
ここで、光線４０，４１，４２，４３の方向は、全て異なっている。よって、架空の窓３２の一点（観察点）３３が決まり、観察の方向（角度α）が決まれば、観察者３０の目に入るのは、物体３１の全部の点から多くの方向に向かって放射される光のうち１つの光線に限定される。これは、壁に１つのピンホールを開け、壁から遠く離れた位置からピンホールを見ると壁の向こう側に位置する物体のうち一点しか見ることが出来ないということから説明できる。
【００２２】
本発明は、「架空の窓の一点（観察点）が決まり、観察の方向（角度α）が決まれば、観察者の目に入るのは、物体の全部の点から多くの方向に向かって放射される光のうち１つの光線に限定される」ということに基づき、図１（Ｂ）に示すように、二次元画像表示面５０の一箇所に、方向に応じて異なる画像を分配して放射する手段５１を設け、光線４０に対応する方向Ａ４０には点３５の映像３５Ａを出射し、光線４１に対応する方向Ａ４１には点３７の映像３７Ａを出射し、光線４２に対応する方向Ａ４２には点３８の映像３８Ａを出射し、光線４３に対応する方向Ａ４３には点３９の映像３９Ａを出射するようにしたものである。〔本発明のより具体的な原理〕
図２は本発明のより具体的な原理を説明する。観察者と三角柱状の物体３１との間に架空の窓３２を想定する。観察者は、物体３１の正面の位置Ｐ１の観察者３０Ｐ１と、観察者３０Ｐ１より右側の位置Ｐ２の観察者３０Ｐ２と、観察者３０Ｐ１より左側の位置Ｐ３の観察者３０Ｐ３との３人がいると仮定する。また、観察者３０Ｐ１，３０Ｐ２，３０Ｐ３は、物体３１の点３５と点３９とを見ていると仮定する。
【００２３】
観察者３０Ｐ１については、右目６０には、物体３１の点３５より放射状に発した光線群３６のうち方向Ａ６２に向く１の光線６２が窓３２上の位置７１を通って入り、且つ物体３１の点３９より放射状に発した光線群４４のうち方向Ａ６３に向く１の光線６３が窓３２上の位置７２を通って入る。左目６１には、光線群３６のうち方向Ａ６４に向く１の光線６４が窓３２上の位置７３を通って入り、且つ光線群４４のうち方向Ａ６５に向く１の光線６５とが入り、観察者３０Ｐ１は、立体像８０−１を認識する。
【００２４】
観察者３０Ｐ２については、右目６０には、物体３１の点３５より放射状に発した光線群３６のうち方向Ａ６６に向く１の光線６６が窓３２上の位置７６を通って入り、左目６１には、光線群３６のうち方向Ａ６７に向く１の光線６７が窓３２上の位置７７を通って入り、観察者３０Ｐ１は、立体像８０−２を認識する。
【００２５】
観察者３０Ｐ３については、右目６０には、物体３１の点３９より放射状に発した光線群４４のうち方向Ａ６８に向く１の光線６８が窓３２上の位置７８を通って入り、左目６１には、光線群４４のうち方向Ａ６９に向く１の光線６９が窓３２上の位置７９を通って入り、観察者３０Ｐ２は、立体像８０−３を認識する。
【００２６】
図３に示すように、二次元画像表示面５０の複数の箇所に、方向に応じて異なる画像を分配して放射する手段５１を設けてある。即ち、画像分配放射手段５１は、二次元画像表示面５０上の位置７６、７７、７１、７２、７３、７８、７９に設けてある。手段５１は、位置７６では、方向Ａ６６に、物体３１の部位３５を方向Ａ６４とは逆方向から見たときの映像３５Ｂを出射する。位置７７では、方向Ａ６７に、物体３１の部位３５を方向Ａ６７とは逆方向から見たときの映像３５Ｃを出射する。位置７１では、方向Ａ６２に、物体３１の部位３５を方向Ａ６２とは逆方向から見たときの映像３５Ｄを出射する。位置７２では、方向Ａ６４に、部位３５を方向Ａ６４とは逆方向から見たときの映像３５Ｅを出射すると共に、方向Ａ６３に、部位３９を方向Ａ６３とは逆方向から見たときの映像３９Ｂを出射する。位置７３では、方向Ａ６５に、物体３１の部位３９を方向Ａ６５とは逆方向から見たときの映像３９Ｃを出射する。位置７８では、方向Ａ６８に、物体３１の部位３９を方向Ａ６８とは逆方向から見たときの映像３９Ｄを出射する。位置７９では、方向Ａ６９に、物体３１の部位３９を方向Ａ６９とは逆方向から見たときの映像３９Ｅを出射する。
【００２７】
二次元画像表示面５０に対して、観察者が位置Ｐ１に位置しているときには、観察者３０Ｐ１の右目６０には映像３５Ｄと３９Ｂとが入り、左目６１には映像３５Ｅと３９Ｃとが入り、観察者３０Ｐ１は、物体３１を正面から見たときに認識する立体像８０−１と同じ立体像８０Ａ−１を認識する。
【００２８】
例えば観察者が右に移動して位置Ｐ２に位置すると、観察者３０Ｐ２の右目６０には映像３５Ｂが入り、左目６１には映像３５Ｃが入り、観察者３０Ｐ２は、それまでの立体像８０−２に代わって、物体３１を右寄り側より見たときに認識する立体像８０−２と同じ立体像８０Ａ−２を認識する。
【００２９】
観察者が位置Ｐ１から左に移動して位置Ｐ３に位置すると、観察者３０Ｐ３の右目６０には映像３９Ｄが入り、左目６１には映像３９Ｅが入り、観察者３０Ｐ３は、それまでの立体像８０−１に代わって、物体３１を左寄り側より見たときに認識する立体像８０−３と同じ立体像８０Ａ−３を認識する。
【００３０】
よって、立体画像表示装置は、観察者をして、二次元画像表示面５０のこちら側に現物の立体物が存在するのと同じような実際的な立体画像を認識させるようにするように出来る。
〔本発明の第１実施例になる立体画像表示装置（請求項１、請求項２、請求項４及び請求項１５の発明の実施例）〕
次に、上記原理の基づいた実施例について説明する。
【００３１】
図４は本発明の第１実施例になる立体画像表示装置１００を示す。立体画像表示装置１００は、平面的な画像表示装置本体１０１と、多視角画像情報発生装置１０２とよりなる。画像表示装置本体１０１と多視角画像情報発生装置１０２とはお互いに関連している。画像表示装置本体１０１は、多視角画像情報発生装置１０２よりの多視角画像情報を供給されたときに立体画像を表示できる構成である。多視角画像情報発生装置１０２は、画像表示装置本体１０１に供給されたときに画像表示装置本体１０１が立体画像を表示するような多視角画像情報を発生する構成である。
【００３２】
先ず、画像表示装置本体１０１について説明する。
図５に併せて示すように、画像表示装置本体１０１は、液晶パネル１１０と、視角画像放射分配装置１１１と、液晶パネル駆動回路１１２とを有する。
液晶パネル１１０は、平板であり、二次元的である。液晶パネル１１０は、複数の矩形状の視角画像集合表示領域部１１０−１がマトリクス状に並んでいる。隣合う視角画像集合表示領域部１１０−１間は、表面が黒色の格子状の非表示部１１０−２が占めている。各視角画像集合表示領域部１１０−１は、複数の視角画像表示部１１０−１−１がマトリクス状に並んで集合している構成である。液晶パネル１１０が請求項  １記載の画像表示手段を構成する。
【００３３】
各視角画像集合表示領域部１１０−１について、符号１１０−１−１ａで示すＸ１方向寄りの視角画像表示部は、液晶パネル１１０を窓とみたてて物体をみると仮定したときに、液晶パネル１１０の中央よりＸ１方向寄り側から斜めにみたときの画像に相当するＸ１方向寄り側斜め視角画像を表示するのに供される。符号１１０−１−１ｂで示す中央の視角画像表示部は、液晶パネル１１０を窓とみたてて物体をみると仮定したときに、液晶パネル１１０の中央よりみたときの画像に相当する中央視角画像を表示するのに供される。符号１１０−１−１ｃで示すＸ２方向寄りの視角画像表示部は、液晶パネル１１０を窓とみたてて物体をみると仮定したときに、液晶パネル１１０の中央よりＸ２方向寄り側から斜めにみたときの画像に相当するＸ２方向寄り側斜め視角画像を表示するのに供される。
【００３４】
視角画像放射分配装置１１１は、複数の視角画像放射分配部１１１−１がマトリクス状に並んでいる構成であり、各視角画像放射分配部１１１−１が上記液晶パネル１１０の対応する各集合表示領域部１１０−１の直ぐ前側に位置している。視角画像放射分配装置１１１が請求項１記載の視角画像放射分配手段を構成する。
【００３５】
各視角画像放射分配部１１１−１は、図６に示す透明柱１１３を複数本並べてなる透明柱の集合体よりなる構成である。
透明柱１１３は略逆円錐形状をなし、入射面１１３ａと、入射面１１３ａより少し広い出射面１１３ｂと、周面１１３ｃとを有する。透明柱１１３は、入射面１１３ａから入射した光１１４を周面１１３ｃの内側で反射させて、透明柱１１３の軸線１１５に近い方向へ向けて、出射面１１３ｂより出射させる。即ち、透明柱１１３は、入射面１１３ａから入射して出射面１１３ｂより出射する光１１６に軸線１１５の方向の指向性を与えるように機能する。透明柱１１３のサイズは、例えば、入射面１１３ａ側の径が０．６７ｍｍ、出射面１１３ｂの径が２．１ｍｍ、長さが２４．８ｍｍである。
【００３６】
複数本の透明柱１１３は、周面１１３ｃ同士を密着させて整列し、円弧の矢印Ｘで示すように、Ｘ１−Ｘ２方向状に扇形に、角度８０度の範囲で拡がっている。各透明柱１１３の入射面１１３ａは集合して円周面１１７を構成しており、マトリクス状に並んでいる。各透明柱１１３の出射面１１３ｂは、集合して円周面１１８を構成しており、マトリクス状に並んでいる。
【００３７】
視角画像放射分配部１１１−１は、その円周面１１７が視角画像集合表示領域部１１０−１に対向して、大略、個々の透明柱１１３の入射面１１３ａが視角画像表示部１１０−１−１に対向した状態にある。
ここで、上記構成になる画像表示装置本体１０１の動作について概略説明する。
【００３８】
図７に示すように、視角画像集合表示領域部１１０−１のうち、Ｘ１方向寄りの視角画像表示部１１０−１−１ａに表示された視角画像の光１２０は、視角画像放射分配部１１１−１のうちＸ１方向寄りの部分１１１−１−１ａの透明柱１１３に入り、透明柱１１３内を通過する過程で、透明柱１１３の軸線の方向の指向性、即ち、画像表示装置本体１０１に対する垂直線１１９に対してＸ１方向に角度α１をなす方向Ａ’の指向性を与えられ、光１２１となって出て、方向Ａ’に進む。
【００３９】
視角画像集合表示領域部１１０−１のうち、中央の視角画像表示部１１０−１−１ｂに表示された視角画像の光１２２は、視角画像放射分配部１１１−１のうち中央のの部分１１１−１−１ｂの透明柱１１３に入り、透明柱１１３内を通過する過程で、透明柱１１３の軸線の方向の指向性、即ち、画像表示装置１０１に対する垂直線１１９と同じ方向方向Ｂ’の指向性を与えられ、光１２３となって出て、方向Ｂ’に進む。
【００４０】
集合表示領域部１１０−１のうち、Ｘ２方向寄りの視角画像表示部１１０−１−１ｃに表示された視角画像の光１２４は、視角画像放射分配部１１１−１のうちＸ１方向寄りの部分１１１−１−１ｃの透明柱１１３に入り、透明柱１１３内を通過する過程で、透明柱１１３の軸線の方向の指向性、即ち、画像表示装置１０１に対する垂直線１１９に対してＸ２方向に角度α１をなす方向Ｃ’の指向性を与えられ、光１２５となって出て、方向Ｃ’に進む。
【００４１】
上記のように、視角画像集合表示領域部１１０−１の各視角画像表示部１１０−１−１ａ，１１１−１−１ｂ，１１１−１−１ｃから視角画像集合表示領域部１１０−１の面に対して垂直の方向に出た画像の光１２０，１２２，１２４は、光１２１，１２３，１２５となって放射状に拡がる。即ち、視角画像集合表示領域部１１０−１の各視角画像表示部１１０−１−１ａ，１１１−１−１ｂ，１１１−１−１ｃの視角画像は、放射状に分配される。
【００４２】
次に、多視角画像情報発生装置１０２について説明する。
図４に示すように、多視角画像情報発生装置１０２は、コンピュータ装置よりなり、三次元画像情報生成部１３０と、視角Ａ画像情報生成部１３１と、視角Ｂ画像情報生成部１３２と、視角Ｃ画像情報生成部１３３とを有する。
【００４３】
三次元画像情報生成部１３０は、三次元画像情報を生成する。視角Ａ画像情報生成部１３１は、三次元画像情報生成部１３０で生成された三次元画像情報の一部を切り出して処理し、視角Ａ（図４参照）の方向より見たときの二次元画像情報を生成する。視角Ｂ画像情報生成部１３２は、三次元画像情報生成部１３０で生成された三次元画像情報の一部を切り出して処理し、視角Ｂ（図４参照）の方向より見たときの二次元画像情報を生成する。視角Ｃ画像情報生成部１３３は、三次元画像情報生成部１３０で生成された三次元画像情報の一部を切り出して処理し、視角Ｃ（図４参照）の方向より見たときの二次元画像情報を生成する。即ち、多視角画像情報発生装置１０２は、或る物を多くの方向から見たときの各方向毎の、即ち、各視角毎の二次元画像情報を発生する。
【００４４】
ここで、視角Ａ画像情報生成部１３１と、視角Ｂ画像情報生成部１３２と、視角Ｃ画像情報生成部１３３とは逐次ではなく同時に動作する。よって、三次元画像情報生成部１３０が生成した三次元画像情報は並列に処理される。このため、三次元画像情報生成部１３０が生成した膨大な三次元画像情報は高速で処理される。よって、動きのスムーズな立体画像を表示出来る。
【００４５】
視角Ａ画像情報生成部１３１、視角Ｂ画像情報生成部１３２、視角Ｃ画像情報生成部１３３の出力が、液晶パネル駆動回路１１２に加えられる。
次に、上記構成の立体画像表示装置１００の動作について説明する。
図４中、三次元画像情報生成部１３０が三次元画像情報を生成し、視角Ａ画像情報生成部１３１が視角Ａ画像情報を生成し、視角Ｂ画像情報生成部１３２が視角Ｂ画像情報を生成し、視角Ｃ画像情報生成部１３３が視角Ｃ画像情報を生成する。
【００４６】
視角Ａ画像情報生成部１３１、視角Ｂ画像情報生成部１３２、視角Ｃ画像情報生成部１３３の出力は、液晶パネル駆動回路１１２に加えられ、これが動作して、液晶パネル１１０が動作し、各視角画像集合表示領域部１１０−１に画像が表示される。
【００４７】
各視角画像集合表示領域部１１０−１について、画像は以下に述べるように表示される。視角画像表示部１１０−１−１ａには、視角Ａ画像情報生成部１３１からの視角Ａ画像情報に基づいて視角Ａ画像１４０Ａが表示される。視角画像表示部１１０−１−１ｂには、視角Ａ画像情報生成部１３２からの視角Ｂ画像情報に基づいて視角Ｂ画像１４０Ｂが表示される。視角画像表示部１１０−１−１ｃには、視角Ｃ画像情報生成部１３３からの視角Ｃ画像情報に基づいて視角Ｃ画像１４０Ｃが表示される。
【００４８】
視角Ａ画像１４０Ａ、視角Ｂ画像１４０Ｂ、視角Ｃ画像１４０Ｃから視角画像集合表示領域部１１０−１の面に対して垂直の方向に出た光は、視角画像放射分配装置１１１の１つの視角画像放射分配部１１１−１に入り、視角画像放射分配部１１１−１内を通過して、視角画像放射分配部１１１−１より出る。よって、視角画像放射分配部１１１−１内を通過することによって、視角Ａ画像１４０Ａ、視角Ｂ画像１４０Ｂ、視角Ｃ画像１４０Ｃは放射状に分配され、視角Ａ画像１４０Ａは矢印Ａとは逆の矢印Ａ’方向に向かい、視角Ｂ画像１４０Ｂは矢印Ｂとは逆の矢印Ｂ’方向に向かい、視角Ｃ画像１４０Ｃは矢印Ｃとは逆の矢印Ｃ’方向に向かう。
【００４９】
これにより、観察者が画像表示装置本体１０１の正面に対向した位置Ｐ１に位置しているときには、観察者３０Ｐ１の目には専ら視角Ａ画像１４０Ａが入り、観察者３０Ｐ１は、物体を正面から見たときに認識する立体像と同じ立体像を認識する。
【００５０】
例えば観察者がＸ１方向（右方向）に移動して位置Ｐ２に位置して画像表示装置本体１０１の元の部位を向くと、観察者３０Ｐ２の目には専ら視角Ｂ画像１４０Ｂが入り、観察者３０Ｐ２は、物体を右側から見たときに認識する立体像と同じ立体像を認識する。
【００５１】
観察者が位置Ｐ１からＸ２方向（左方向）に移動して位置Ｐ３に位置すると、観察者３０Ｐ３の目には専ら視角Ｃ画像１４０Ｃが入り、観察者３０Ｐ３は、物体を左側から見たときに認識する立体像と同じ立体像を認識する。
このように画像表示装置本体１０１を見る観察者は、観察位置や視角を変化させることによって、徐々に立体物の側面がみえてきて、あたかも画像表示装置本体１０１の裏側に実際に物が存在するような、極めて現実に近い立体像を見ることが出来る。
〔画像表示装置本体の変形例〕
次に、上記の立体画像表示装置１００のうち画像表示装置本体１０１の変形例について説明する。
【００５２】
先ず、図４及び図５中の画像表示装置本体１０１は、液晶パネル１１０に代えて、ＣＲＴ装置、又はＬＥＤ素子が並んだＬＥＤパネルを使用した構成でも良い。
図８（Ａ）は第１の変形例になる画像表示装置本体１０１Ａ（請求項１１の発明の実施例）を示す。画像表示装置本体１０１Ａは、同図（Ｂ）に示す画像表示ブロック１５０を複数、マトリクス状に並べてなる構成である。画像表示ブロック１５０は、一の集合表示領域部１１０−１を有する矩形の液晶小パネル１５１と、液晶小パネル１５１上に固定してある視角画像放射分配部１１１−１とよりなる構成である。
【００５３】
並んだ液晶小パネル１５１が、請求項１１における「請求項１又は請求項２記載の画像表示手段」を構成し、並んだ視角画像放射分配部１１１−１が同じく請求項１１における「請求項１又は請求項２記載の視角画像放射分配手段」を構成する。
【００５４】
この画像表示装置本体１０１Ａは、複数の画像表示ブロック１５０をマトリクス状に並べてなる構成であるため、製造し易く、且つ補修もし易い。
図９は第２の変形例になる画像表示装置本体１０１Ｂ（請求項８、及び請求項９の発明の実施例）を示す。画像表示装置本体１０１Ｂは、液晶パネル１１０の矩形状の視角画像集合表示領域部１１０−１と、視角画像放射分配部１１１−１の円周面１１７との間に、プラスチック光ファイバ群１６０が設けられた構成である。プラスチック光ファイバ群１６０は、複数のプラスチック光ファイバ１６１が、夫々透明柱１１３の入射面１１３ａと接続された構成である。各プラスチック光ファイバ１６１の下端は、視角画像集合表示領域部１１０−１の各視角画像表示部１１０−１−１に対向している。
【００５５】
この構成の画像表示装置本体１０１Ｂによれば、各視角画像表示部１１０−１−１の画像がプラスチック光ファイバ１６１内を独立に伝わって透明柱１１３に入射するため、隣り合う視角画像表示部１１０−１−１の画像が干渉するクロストークが起きない。よって、よりクリアな立体画像が表示される。
【００５６】
プラスチック光ファイバ群１６０が請求項８及び請求項９の視角画像対応入力手段、及び光ガイド部材の集合体を構成する。プラスチック光ファイバ群１６０に代えて、適当な導光手段を設けてもよい。
図１０は第３の変形例になる画像表示装置本体１０１Ｃ（請求項８、及び請求項１０の発明の実施例）を示す。画像表示装置本体１０１Ｃは、図１及び図２の画像表示装置本体１０１Ｃの下（裏）側のバックライト（図４中、図示せず）として、Ａ’方向に指向性を有する指向性光源１７０を設けた構成である。指向性光源１７０を設けたことによって、液晶パネル１１０の視角画像集合表示領域部１１０−１の各視角画像表示部１１０−１−１の画像の光は、符号１７１で示すように、Ａ’方向に進み、途中で干渉することなく進んで、視角画像放射分配部１１１−１内に入る。この指向性光源１７０の詳細は、特開平７−９８４１６号公報に記載されている。指向性光源１７０が請求項８の視角画像対応入力手段を構成する。
【００５７】
この構成の画像表示装置本体１０１Ｃによれば、隣り合う視角画像表示部１１０−１−１の画像が干渉するクロストークが起きないため、クリアな立体画像が表示される。
図１１は第４の変形例になる画像表示装置本体１０１Ｄ（請求項１２の発明の実施例）の一部を拡大して示す。画像表示装置本体１０１Ｄは、透明柱１１３の入射面１１３ａに発光素子である１つのＬＥＤ（light emitting diode) 素子１８０を接着してなる透明柱・ＬＥＤ素子組立体１８１を放射状に並べた構成である。
【００５８】
この画像表示装置本体１０１Ｄは、透明柱・ＬＥＤ素子組立体１８１を並べた構成であるため、製造し易い。
並んだＬＥＤ素子１８０が、請求項１２における「請求項１又は請求項２記載の画像表示手段」を構成し、並んだ透明柱１１３が同じく請求項１２における「請求項１又は請求項２記載の視角画像放射分配手段」を構成する。
【００５９】
ＬＥＤ素子の代わりに、同じ発光素子であるＶＦＤ（vacuum fluorescent display) 又はＥＬ（electroluminescence)等を用いてもよい。
図１２は第５の変形例になる画像表示装置本体１０１Ｅ（請求項１３の発明の実施例）の一部を拡大して示す。画像表示装置本体１０１Ｅは、上記画像表示装置本体１０１Ｄ中、ＬＥＤ素子１８０に代えて液晶素子を使用したものである。画像表示装置１０１Ｅは、透明柱１１３の入射面１１３ａに非発光素子である１つの液晶素子１８５を接着してなる透明柱・液晶素子組立体１８６を放射状に並べた構成である。
【００６０】
この画像表示装置本体１０１Ｅも、透明柱・液晶素子組立体１８６を並べた構成であるため、製造し易い。
並んだ液晶素子１８５が、請求項１３における「請求項１又は請求項２記載の画像表示手段」を構成し、並んだ透明柱１１３が同じく請求項１３における「請求項１又は請求項２記載の視角画像放射分配手段」を構成する。
【００６１】
図１３は第６の変形例になる画像表示装置本体１０１Ｆ（請求項１４の発明の実施例）の一部を拡大して示す。画像表示装置本体１０１Ｆは、図３の透明柱１１３の出射面１１３ｂに非発光素子である１つの液晶素子１９０を接着してなる透明柱・液晶素子組立体１９１を放射状に並べた構成である。
【００６２】
この画像表示装置本体１０１Ｆは、透明柱・液晶素子組立体１９１を並べた構成であるため、製造し易い。
並んだ液晶素子１９０が、請求項１４における「請求項１又は請求項２記載の画像表示手段」を構成し、並んだ透明柱１１３が同じく請求項１４における「請求項１又は請求項２記載の視角画像放射分配手段」を構成する。
【００６３】
図１４は第７の変形例になる画像表示装置本体１０１Ｇ（請求項６の発明の実施例）の一部を拡大して示す。画像表示装置本体１０１Ｇは、図６の略円錐状の透明柱１１３の出射面１１３ｂ側を六角柱としてなる透明柱１１３Ａを組み合わせた構成である。正六角形の出射面１１３Ａｂは隙間の無い状態で並んでいる。透明柱１１３Ａは、正六角形の面を利用して精度良く且つ簡単に並べることが出来、画像表示装置本体１０１Ｇは、組立てし易い。
【００６４】
図１５は第８の変形例になる画像表示装置本体１０１Ｈ（請求項５の発明の実施例）の一部を拡大して示す。画像表示装置本体１０１Ｈは、図６の略円錐状の透明柱１１３を、その隣合う出射面１１３ｂの間を透明な樹脂２００（例えば三菱レーヨン（株）製のアクリボンド）で埋めて接着して固定してなる構成である。樹脂２００を埋めるため、透明柱１１３を精度良く並べる必要がなく、比較的ラフに並べれば足り、画像表示装置本体１０１Ｈは、容易に組立て出来る。画像表示装置本体１０１Ｈの表面は平らである。
【００６５】
図１６は第９の変形例になる画像表示装置本体１０１Ｉ（請求項７の発明の実施例）を示す。画像表示装置本体１０１Ｉは、視角画像放射分配部１１１−１が球面を形成するように並んだ構成である。この画像表示装置本体１０１Ｉによれば、平面である場合には得られない特殊な表示効果を得ることが出来る。なお、この画像表示装置本体１０１Ｉは、二次元の画像の表示に使用しても特殊な表示効果を得ることが出来る。
〔本発明の第２実施例になる立体画像表示装置（請求項３の発明の実施例）〕
次に、本発明の第２実施例になる立体画像表示装置１００Ａについて説明する。
【００６６】
図１７に示すように、立体画像表示装置１００Ａは、平面的な画像表示装置本体１０１Ｊと、多視角画像情報発生装置１０２とよりなる。
画像表示装置本体１０１Ｊは、図５中の視角画像放射分配装置１１１に代えて、視角画像放射分配装置１１１Ａを有する。視角画像放射分配装置１１１Ａは、視角画像放射分配部１１１−１に代えて、視角画像放射分配部１１１Ａ−１がマトリクス状に並んでいる構成である。各視角画像放射分配部１１１Ａ−１は、複数本の透明柱１１３を密着させて整列させてなるものであり、円弧の矢印Ｘで示すように、Ｘ１−Ｘ２方向上に扇形であると共に、円弧の矢印Ｙで示すように、Ｙ１−Ｙ２方向上にも扇形である。視角画像放射分配部１１１Ａ−１の出射面２１０は、球面の一部を形成している。
【００６７】
立体画像表示装置１００Ａは、視角画像放射分配装置１１１Ａ（視角画像放射分配部１１１Ａ−１）以外は、図４の立体画像表示装置１００と同じである。
上記構成の立体画像表示装置１００Ａは、観察位置をＸ１−Ｘ２方向に変えた場合に変化して見えるのは勿論、観察位置をＹ１−Ｙ２方向に変えた場合にも、観察位置をＸ１−Ｘ２方向に変えた場合と同様に変化して見える立体画像を表示する。よって、立体画像表示装置１００Ａは、図４の立体画像表示装置１００よりも質の高い立体画像が表示出来る。
【００６８】
なお、本実施例の立体画像表示装置１００Ａの画像表示装置本体１０１Ｊにつても、図８乃至図１６に示す構成の画像表示装置本体を適用可能である。
〔本発明の第３実施例になる液晶表示装置（請求項１６及び請求項１８の発明の実施例）〕
次に、本発明の第３実施例になる液晶表示装置３００について、図１８を参照して説明する。
【００６９】
図１８に示すように、液晶表示装置３００は、図４に示す立体画像表示装置１００において、多視角画像情報発生装置１０２に代えて、二次元画像情報発生装置３０１を設けた構成である。
液晶パネル１１０は、複数の矩形状の二次元画像表示領域部１１０Ａ−１がマトリクス状に並んでいる構成である。
【００７０】
二次元画像表示領域部１１０Ａ−１の画像は、視角画像放射分配装置１１１の視角画像放射分配部１１１−１によってＸ１−Ｘ２方向に広げられる。
よって、液晶表示装置３００は、Ｘ１−Ｘ２方向上の視野角が大きいという特性を有する。
〔本発明の第４実施例になる液晶表示装置（請求項１７、請求項１６及び請求項１８の発明の実施例）〕
次に、本発明の第４実施例になる液晶表示装置３００Ａについて、図１９を参照して説明する。
【００７１】
図１９に示すように、液晶表示装置３００は、図１７に示す立体画像表示装置１００Ａにおいて、多視角画像情報発生装置１０２に代えて、二次元画像情報発生装置３０１を設けた構成である。
液晶パネル１１０は、複数の矩形状の二次元画像表示領域部１１０Ａ−１がマトリクス状に並んでいる構成である。
【００７２】
二次元画像表示領域部１１０Ａ−１の画像は、視角画像放射分配装置１１１Ａの視角画像放射分配部１１１Ａ−１によってＸ１−Ｘ２方向に、且つＹ１−Ｙ２方向に広げられる。
よって、液晶表示装置３００は、Ｘ１−Ｘ２方向上及びＹ１−Ｙ２方向上のの視野角が大きいという特性を有する。
【００７３】
【発明の効果】
上述の如く、請求項１の発明によれば、立体物を異なる視角の方向からみたときの複数の視角画像情報を発生する多視角画像情報発生手段よりの複数の視角画像情報を供給されて、該視角画像情報毎の視角画像を所定のパターンで表示する画像表示手段と、該画像表示手段上に表示された画像からの光に指向性を与えて、上記視角画像情報に対応する視角画像をその視角の方向に向かわせて視角画像を放射状に分配する視角画像放射分配手段とよりなる構成であるため、多視角画像情報発生手段よりの複数の視角画像情報を供給された場合に、観察者の位置及び向く方向に応じて少しづつ異なる立体画像、即ち、画像表示装置を見る観察者が位置や視角を変化させることによって、徐々に立体物の側面がみえてきて、あたかも画像表示装置の裏側に実際に物が存在するような、極めて現実に近い立体像を提供することが出来る。また、視角画像放射分配手段は、視角画像を放射状に分配する方向が、立体画像表示装置に対向して見たときに、左右方向及上下方向である構成である構成としたものであるため、観察者の位置及び向く方向を左右方向に加えて上下方向に変えた場合にも、観察者の位置及び向く方向に応じて少しづつ異なる立体画像、即ち、よりリアルで質の高い立体像を提供することが出来る。
【００７４】
請求項２の発明によれば、平面的な画像表示装置本体と、立体物を異なる視角の方向からみたときの複数の視角画像情報を発生する多視角画像情報発生手段とよりなり、上記画像表示装置本体は、該多視角画像情報発生手段よりの複数の視角画像情報を供給されて、該視角画像情報毎の視角画像を所定のパターンで表示する画像表示手段と、該画像表示手段上に表示された画像からの光に指向性を与えて、上記視角画像情報に対応する視角画像をその視角の方向に向かわせて視角画像を放射状に分配する視角画像放射分配手段とよりなる構成としたものであるため、観察者の位置及び向く方向に応じて少しづつ異なる立体画像、即ち、観察者があたかも画像表示装置の裏側に実際に物が存在すると認識するようなリアルで質の高い立体像を提供することが出来る。また、視角画像放射分配手段は、透明であって柱形状を有する透明柱が、複数集合して、扇状されたものである構成としたため、画像からの光に指向性を与えることを確実になし得、よって、視角画像を放射状に分配することを確実になし得る。
【００７７】
請求項３の発明によれば、透明柱が、略円錐形状を有し、その隣合う出射面の間を透明な樹脂で埋めて固定して複数集合された構成であるため、容易に組立て出来る。
請求項４の発明によれば、透明柱は、出射面側が正多角形であり、多数の透明柱が出射面側が密着して組み合わされた構成であるため、正多角形の面を利用して精度良く且つ簡単に並べることが出来、組立てし易い。
【００７８】
請求項５の発明によれば、視角画像放射分配手段は、球面状の出射面を有する構成であるため、平面である場合には得られない特殊な表示効果を得ることが出来る。平面である場合には得られない特殊な表示効果を得ることが出来る。
請求項６、請求項７、及び請求項８の発明によれば、各視角画像表示部の画像が視角画像放射分配手段を構成する対応する透明柱に入るため、隣り合う視角画像表示部の画像が干渉するクロストークが起きず、よって、クリアな立体画像が表示出来る。
【００７９】
請求項９、請求項１０、請求項１１及び請求項１２の発明によれば、複数の部分を組み合わせて構成するため、製造を容易と出来る。
請求項１３の発明によれば、三次元画像情報生成部が生成した三次元画像情報は並列に処理されるため、三次元画像情報生成部が生成した膨大な三次元画像情報は高速で処理される、動きのスムーズな立体画像を表示出来る。
【００８１】
請求項１４の発明によれば、視野角の拡大を確実に成しうる。
【図面の簡単な説明】
【図１】本発明の基本的な原理構成図である。
【図２】本発明の具体的な原理を説明する図である。
【図３】本発明の具体的な原理を説明する図である。
【図４】本発明の第１実施例になる立体画像表示装置を示す図である。
【図５】図４中の画像表示装置本体の斜視図である。
【図６】視角画像放射分配装置を構成する透明柱を拡大して示す図である。
【図７】画像表示装置本体の機能を説明する図である。
【図８】図４中の画像表示装置本体の第１の変形例を示す図である。
【図９】図４中の画像表示装置本体の第２の変形例を示す図である。
【図１０】図４中の画像表示装置本体の第３の変形例を示す図である。
【図１１】図４中の画像表示装置本体の第４の変形例を示す図である。
【図１２】図４中の画像表示装置本体の第５の変形例を示す図である。
【図１３】図４中の画像表示装置本体の第６の変形例を示す図である。
【図１４】図４中の画像表示装置本体の第７の変形例を示す図である。
【図１５】図４中の画像表示装置本体の第８の変形例を示す図である。
【図１６】図４中の画像表示装置本体の第９の変形例を示す図である。
【図１７】本発明の第２実施例になる立体画像表示装置を示す図である。
【図１８】本発明の第３実施例になる液晶表示装置を示す図である。
【図１９】本発明の第４実施例になる液晶表示装置を示す図である。
【図２０】従来の立体画像表示装置の１例を示す図である。
【図２１】従来の立体画像表示装置の別の例を示す図である。
【符号の説明】
１００、１００Ａ  立体画像表示装置
１０１，１０１Ａ〜１０１Ｉ  画像表示装置本体
１０２  多視角画像情報発生装置
１１０  液晶パネル
１１０−１  視角画像集合表示領域部
１１０−１−１ａ，１１０−１−１ｂ，１１０−１−１ｃ  視角画像表示部
１１１、１１１Ａ  視角画像放射分配装置
１１１−１，１１１Ａ−１  視角画像放射分配部
１１３、１１３Ａ  透明柱
１１２  液晶パネル駆動回路
１１８  円周面
１３０  三次元画像情報生成部
１３１  視角Ａ画像情報生成部
１３２  視角Ｂ画像情報生成部
１３３  視角Ｃ画像情報生成部
１４０Ａ  視角Ａ画像
１４０Ｂ  視角Ｂ画像
１４０Ｃ  視角Ｃ画像
１５０  画像表示ブロック
１５１  矩形の液晶小パネル
１６０  プラスチック光ファイバ群
１６１  プラスチック光ファイバ
１７０  指向性光源
１８０  ＬＥＤ（light emitting diode) 素子
１８１  透明柱・ＬＥＤ素子組立体
１８５，１９０  液晶素子
１８６，１９１  透明柱・液晶素子組立体
２００  透明な樹脂
２１０  球面の一部である出射面
３００、３００Ａ  液晶表示装置
３０１  二次元画像情報発生装置
１０１Ａ−１  二次元画像表示領域部
【図１】
0004083829.tif 000002
【図２】
0004083829.tif 000003
【図３】
0004083829.tif 000004
【図４】
0004083829.tif 000005
【図５】
0004083829.tif 000006
【図６】
0004083829.tif 000007
【図７】
0004083829.tif 000008
【図８】
0004083829.tif 000009
【図９】
0004083829.tif 000010
【図１０】
0004083829.tif 000011
【図１１】
0004083829.tif 000012
【図１２】
0004083829.tif 000013
【図１３】
0004083829.tif 000014
【図１４】
0004083829.tif 000015
【図１５】
0004083829.tif 000016
【図１６】
0004083829.tif 000017
【図１７】
0004083829.tif 000018
【図１８】
0004083829.tif 000019
【図１９】
0004083829.tif 000020
【図２０】
0004083829.tif 000021
【図２１】
0004083829.tif 000022